(57)【特許請求の範囲】
【請求項１】
リソースを移転するための方法であって、
リソース移転元の顔画像を、リソース移転装置によって取得するステップであって、前記顔画像は、前記リソース移転元の身元を認証するために使用される、ステップと、
前記顔画像を収集するデバイスの識別情報を、前記リソース移転装置によって取得するステップと、
前記デバイスの前記識別情報に基づいて、履歴トランザクションにおいて前記デバイスに以前に関連付けられたホットスポットユーザのセットを、前記リソース移転装置によって決定するステップと、
前記リソース移転元の前記顔画像が前記ホットスポットユーザのセット中のユーザに対応するか否かを、前記リソース移転装置によって判定するステップと、
前記リソース移転元の前記顔画像が前記ホットスポットユーザのセット中のユーザに対応すると決定したことに応答して、リソース移転識別情報が第1の情報であると、前記リソース移転装置によって決定するステップと、
前記リソース移転元の前記顔画像が前記ホットスポットユーザのセット中のユーザに対応しないと決定したことに応答して、前記リソース移転識別情報が第2の情報であると、前記リソース移転装置によって決定するステップであって、前記第2の情報のセキュリティは、前記第1の情報のセキュリティより高い、ステップと、
前記リソース移転元のリソース移転識別情報を、前記リソース移転装置によって取得するステップであって、前記リソース移転識別情報は、前記リソース移転元の移転元アカウントに対応する、ステップと、
前記リソース移転識別情報に基づいて、前記移転元アカウントに関する情報および前記移転元アカウントに対応する参照画像を、前記リソース移転装置によって決定するステップと、
前記顔画像が前記参照画像と一致していると、前記リソース移転装置によって決定するステップであって、前記顔画像が前記参照画像と一致していると決定するステップは、深度閾値未満である顔画像を除外するために顔画像深度閾値を適用するステップを含む、ステップと、
前記顔画像が前記参照画像と一致していると決定したことに応答して、前記移転元アカウントに関する前記情報に基づいて前記リソース移転元のリソースを、前記リソース移転装置によって移転するステップと
を含む、方法。
【請求項２】
前記リソース移転元の顔画像を取得するステップの後かつ前記リソース移転元のリソース移転識別情報を取得するステップの前に、前記方法は、
前記顔画像と一致している顔画像情報を顔認識許諾禁止リストから、前記リソース移転装置によって検索するステップであって、前記顔認識許諾禁止リストは、顔画像認識許諾が禁止されている顔画像に関する情報を記憶するために使用される、ステップをさらに含み、
前記リソース移転元のリソース移転識別情報を取得するステップは、
前記顔画像と一致している前記顔画像情報が前記顔認識許諾禁止リストに存在していないと決定したことに応答して、前記リソース移転元の前記リソース移転識別情報を、前記リソース移転装置によって取得するステップを含む、請求項1に記載の方法。
【請求項３】
前記顔画像を収集する前記デバイスの前記識別情報を取得するステップの後かつ前記リソース移転元のリソース移転識別情報を取得するステップの前に、前記方法は、
前記デバイスが正規のものであることを前記デバイスの前記識別情報が示していると、前記リソース移転装置によって決定するステップをさらに含む、請求項1または2に記載の方法。
【請求項４】
前記第2の情報は、前記リソース移転元の個人身元情報、受信したリソース移転検証情報、または移転されることになる前記リソースに関連付けられた発注情報であり、前記第1の情報は、前記第2の情報の一部である、または、
前記第2の情報は、前記リソース移転元の生体特徴情報であり、前記第1の情報は、前記リソース移転元の前記個人身元情報、前記受信したリソース移転検証情報、または移転されることになる前記リソースに関連付けられた前記発注情報である、請求項1に記載の方法。
【請求項５】
前記リソース移転元の顔画像を取得するステップは、
3D撮影装置を使用して前記リソース移転元の前記顔画像を、前記リソース移転装置によって取得するステップを含む、請求項1、2、または4のいずれか一項に記載の方法。
【請求項６】
前記リソース移転識別情報は、
前記リソース移転元の個人身元情報と、
前記リソース移転元の生体特徴情報と、
前記リソース移転元によって受信されるリソース移転検証情報と、
移転されることになる前記リソースに関連付けられた発注情報と
のうちの1つまたは複数のタイプを含む、請求項1、2、または4のいずれか一項に記載の方法。
【請求項７】
前記リソース移転識別情報に基づいて、前記移転元アカウントに関する情報および前記移転元アカウントに対応する参照画像を決定するステップは、
前記リソース移転識別情報に基づいて、前記リソース移転識別情報に対応する前記移転元アカウントに関する前記情報を、前記リソース移転装置によって決定するステップと、
前記移転元アカウントに関する前記情報に基づいて、前記移転元アカウントに対応する前記参照画像を、前記リソース移転装置によって決定するステップと
を含む、請求項1、2、または4のいずれか一項に記載の方法。
【請求項８】
前記リソース移転識別情報に基づいて、前記リソース移転識別情報に対応する前記移転元アカウントに関する前記情報を決定するステップは、
前記リソース移転識別情報に基づいて、前記リソース移転識別情報に対応する複数の移転元アカウントに関する情報を、前記リソース移転装置によって識別するステップを含み、
前記移転元アカウントに関する前記情報に基づいて、前記移転元アカウントに対応する前記参照画像を、前記リソース移転装置によって決定するステップは、
前記複数の移転元アカウントに関する前記情報が同一の参照画像に対応していると決定したことに応答して、前記移転元アカウントに対応する前記参照画像として前記参照画像を、前記リソース移転装置によって決定するステップを含む、請求項7に記載の方法。
【請求項９】
前記移転元アカウントに関する前記情報に基づいて前記リソース移転元のリソースを移転するステップの後に、前記方法は、
前記リソース移転元の再取得された顔画像をマッチングして別のリソース移転を行うために、前記移転元アカウントに対応する調整された参照画像として前記リソース移転元の前記顔画像を、前記リソース移転装置によって記憶するステップをさらに含む、請求項1、2、4、または8のいずれか一項に記載の方法。
【請求項１０】
前記顔画像が前記参照画像と一致している場合には、前記移転元アカウントに関する前記情報に基づいて前記リソース移転元のリソースを移転するステップの前に、前記方法は、
前記移転元アカウントに関する前記情報が所定の条件を満足していると決定したことに応答して、前記リソース移転装置によって前記顔画像を前記参照画像とマッチングするステップをさらに含む、請求項1、2、4、または8のいずれか一項に記載の方法。
【請求項１１】
前記所定の条件は、
前記移転元アカウントのタイプが顔画像認識のための許諾を有するアカウントタイプであることと、
前記移転元アカウントが非正規アカウントリストに含まれていないことと、
前記移転元アカウントのリソース移転失敗の数量が所定の値に達していないことと、
前記移転元アカウントの地理的位置状態が正常状態であることと
のうちの少なくとも1つを含む、請求項10に記載の方法。
【請求項１２】
前記リソースは資金であり、前記リソース移転元は決済者であり、前記リソース移転識別情報は資金決済識別情報であり、前記移転元アカウントは決済者アカウントである、請求項1、2、4、8、または11のいずれか一項に記載の方法。
【請求項１３】
リソースを移転するための装置であって、前記装置は、請求項1から12のいずれか一項に記載の方法を行うように構成された複数のモジュールを含む、装置。
【発明の詳細な説明】
【技術分野】
【０００１】
本出願は、コンピュータ技術の分野に関し、詳細には、リソース移転方法、資金決済方法、および電子デバイスに関する。
【背景技術】
【０００２】
コンピュータ通信技術の急速な発展に伴い、人々の生産および生活はリソース移転および割り振りのためにインターネットプラットフォームに頼ることがますます必要になっている。リソースのセキュリティおよびリソース移転の正当性を保証するために、既存のリソース移転プロセスにおいては、リソース移転元によって提供される個人情報に基づいて、または、ハードウェアファシリティの助けを借りて、身元検証を頻繁に行う必要性がある。
【０００３】
例えば、リソースはビッグデータ情報であり、リソース移転はビッグデータ情報移転である。ビッグデータの移転中に、データ移転元の身元の正当性を保証するべく、データ移転元は、インターネットプラットフォーム上で身元検証を促進するために、データ移転元のユーザ名またはパスワードなどの身元情報を入力する必要があり得る、データ移転元の正規の身元を表す、モバイル端末上に表示した、2次元コードを示す必要があり得る、または、データ移転元の正規の身元を表すハードウェアファシリティ(例えば、USBキー)にアクセスする必要があり得る。データ移転元に関する情報またはハードウェアファシリティが流用されると、リソースが非正規に移転される可能性が高い。あるいは、データ移転元が身元情報を忘れていたりハードウェアファシリティを持ち運んでいなかったりすると、リソースを正常に移転することもできなくなる。
【０００４】
したがって、安全、便利、かつ素早くリソースを移転するために使用することができる方法が喫緊の課題である。
【発明の概要】
【課題を解決するための手段】
【０００５】
本出願の実施形態は、リソース移転方法および電子デバイスを提供しており、その結果、リソースを安全、便利、かつ素早く移転することを可能にしている。
【０００６】
本出願の実施形態は、資金決済方法および電子デバイスをさらに提供しており、資金を安全、便利、かつ素早く決済することを可能にしている。
【０００７】
以下の技術的ソリューションが本出願の実施形態において使用される。
【０００８】
第1の態様に従って、本出願の実施形態は、リソース移転方法を提供しており、方法は、リソース移転元の顔画像を取得するステップであって、顔画像は、リソース移転元の身元を認証するために使用される、ステップと、リソース移転元のリソース移転識別情報を取得するステップであって、リソース移転識別情報は、リソース移転元の移転元アカウントに対応する、ステップと、リソース移転識別情報に基づいて、移転元アカウントに関する情報および移転元アカウントに対応する参照画像を決定するステップと、顔画像が参照画像と一致している場合には、移転元アカウントに関する情報に基づいてリソース移転元のリソースを移転するステップとを含む。
【０００９】
第2の態様に従って、本出願の実施形態は、資金決済方法を提供しており、方法は、決済者の顔画像を取得するステップであって、顔画像は、決済者の身元を認証するために使用される、ステップと、決済者の資金決済識別情報を取得するステップであって、資金決済識別情報は、決済者の決済者アカウントに対応する、ステップと、資金決済識別情報に基づいて、決済者アカウントに関する情報および決済者アカウントに対応する参照画像を決定するステップと、顔画像が参照画像と一致している場合には、決済者アカウントに関する情報に基づいて決済者の資金を移転するステップとを含む。
【００１０】
好ましくは、本出願の本実施形態において提供した第2の態様による方法においては、決済者の顔画像を取得するステップの後かつ決済者の資金決済識別情報を取得するステップの前に、方法は、顔画像と一致している顔画像情報を顔認識許諾禁止リストから検索するステップであって、顔認識許諾禁止リストは、顔画像認識許諾が禁止されている顔画像に関する情報を記憶するために使用される、ステップをさらに含み、決済者の資金決済識別情報を取得するステップは、顔画像と一致している顔画像情報が顔認識許諾禁止リストに存在していない場合には、決済者の資金決済識別情報を取得するステップを含む。
【００１１】
好ましくは、本出願の本実施形態において提供した第2の態様による方法においては、決済者の顔画像を取得するステップの後かつ決済者の資金決済識別情報を取得するステップの前に、方法は、顔画像を収集するデバイスの識別情報を取得するステップをさらに含み、決済者の資金決済識別情報を取得するステップは、デバイスが正規のものであることをデバイスの識別情報が示している場合には、決済者の資金決済識別情報を取得するステップを含む。
【００１２】
好ましくは、本出願の本実施形態において提供した第2の態様による方法においては、デバイスが正規のものであることをデバイスの識別情報が示している場合には、決済者の資金決済識別情報を取得するステップは、デバイスが正規のものであることをデバイスの識別情報が示している場合には、デバイスの識別情報に基づいて必要とされる資金決済識別情報の情報タイプを決定するステップと、情報タイプに基づいて決済者の資金決済識別情報を取得するステップとを含む。
【００１３】
好ましくは、本出願の本実施形態において提供した第2の態様による方法においては、デバイスの識別情報に基づいて必要とされる資金決済識別情報の情報タイプを決定するステップは、デバイスの識別情報に基づいて、デバイスに対応するホットスポットユーザのセットを決定するステップであって、ホットスポットユーザのセットは、デバイスに関連付けられたユーザホットスポット情報を含む、ステップと、決済者の顔画像をユーザホットスポット情報とマッチングするステップと、決済者の顔画像がユーザホットスポット情報と一致している場合には、必要とされる資金決済識別情報が第1の情報であると決定し、さもなければ、必要とされる資金決済識別情報が第2の情報であると決定するステップであって、第2の情報のセキュリティは、第1の情報のセキュリティより高い、ステップとを含む。
【００１４】
好ましくは、本出願の本実施形態において提供した第2の態様による方法においては、第2の情報は、決済者の個人身元情報、受信した資金決済検証情報、または移転されることになる資金に関連付けられた発注情報であり、第1の情報は、第2の情報の一部である、または、第2の情報は、決済者の生体特徴情報であり、第1の情報は、決済者の個人身元情報、受信した資金決済検証情報、または移転されることになる資金に関連付けられた発注情報である。
【００１５】
好ましくは、本出願の本実施形態において提供した第2の態様による方法においては、決済者の顔画像を取得するステップは、3D撮影装置を使用して決済者の顔画像を取得するステップを含む。
【００１６】
好ましくは、本出願の本実施形態において提供した第2の態様による方法においては、資金決済識別情報は、決済者の個人身元情報と、決済者の生体特徴情報と、決済者によって受信される資金決済検証情報と、移転されることになる資金に関連付けられた発注情報とのうちの1つまたは複数のタイプを含む。
【００１７】
好ましくは、本出願の本実施形態において提供した第2の態様による方法においては、資金決済識別情報に基づいて、決済者アカウントに関する情報および決済者アカウントに対応する参照画像を決定するステップは、資金決済識別情報に基づいて、資金決済識別情報に対応する決済者アカウントに関する情報を決定するステップと、決済者アカウントに関する情報に基づいて、決済者アカウントに対応する参照画像を決定するステップとを含む。
【００１８】
好ましくは、本出願の本実施形態において提供した第2の態様による方法においては、資金決済識別情報に基づいて、資金決済識別情報に対応する決済者アカウントに関する情報を決定するステップは、資金決済識別情報に基づいて、資金決済識別情報に対応する複数の決済者アカウントに関する情報を識別するステップを含み、決済者アカウントに関する情報に基づいて、決済者アカウントに対応する参照画像を決定するステップは、複数の決済者アカウントに関する情報が同一の参照画像に対応している場合には、決済者アカウントに対応する参照画像として参照画像を決定するステップを含む。
【００１９】
好ましくは、本出願の本実施形態において提供した第2の態様による方法においては、決済者アカウントに関する情報に基づいて資金を移転するステップの後に、方法は、決済者の再取得された顔画像をマッチングして再び資金移転を行うために、決済者アカウントに対応する調整された参照画像として決済者の顔画像を記憶するステップをさらに含む。
【００２０】
好ましくは、本出願の本実施形態において提供した第2の態様による方法においては、顔画像が参照画像と一致している場合には、決済者アカウントに関する情報に基づいて決済者の資金を移転するステップの前に、方法は、決済者アカウントに関する情報が所定の条件を満足する場合には、顔画像を参照画像とマッチングするステップをさらに含む。
【００２１】
好ましくは、本出願の本実施形態において提供した第2の態様による方法においては、所定の条件は、決済者アカウントのタイプが顔画像認識のための許諾を有するアカウントタイプであることと、決済者アカウントが非正規アカウントリストに含まれていないことと、決済者アカウントの資金決済失敗の数量が所定の値に達していないことと、決済者アカウントの地理的位置状態が正常状態であることとのうちの少なくとも1つを含む。
【００２２】
第3の態様に従って、本出願の実施形態は、リソース移転装置を提供しており、装置は、リソース移転元の顔画像を取得するように構成される、顔画像獲得モジュールであって、顔画像は、リソース移転元の身元を認証するために使用される、顔画像獲得モジュールと、リソース移転元のリソース移転識別情報を取得するように構成される、識別情報獲得モジュールであって、リソース移転識別情報は、リソース移転元の移転元アカウントに対応する、識別情報獲得モジュールと、リソース移転識別情報に基づいて、移転元アカウントに関する情報および移転元アカウントに対応する参照画像を決定するように構成される、アカウント情報獲得モジュールと、顔画像が参照画像と一致している場合には、移転元アカウントに関する情報に基づいてリソース移転元のリソースを移転するように構成される、リソース移転モジュールとを含む。
【００２３】
第4の態様に従って、本出願の実施形態は、プロセッサと、コンピュータ実行可能命令を記憶するように構成される、ストレージとを含む、電子デバイスを提供しており、実行可能命令が実行されると、プロセッサは、リソース移転元の顔画像を取得するステップであって、顔画像は、リソース移転元の身元を認証するために使用される、ステップと、リソース移転元のリソース移転識別情報を取得するステップであって、リソース移転識別情報は、リソース移転元の移転元アカウントに対応する、ステップと、リソース移転識別情報に基づいて、移転元アカウントに関する情報および移転元アカウントに対応する参照画像を決定するステップと、顔画像が参照画像と一致している場合には、移転元アカウントに関する情報に基づいてリソース移転元のリソースを移転するステップとを含む動作を行うことが可能である。
【００２４】
第5の態様に従って、本出願の実施形態は、資金決済装置を提供しており、装置は、決済者の顔画像を取得するように構成される、顔画像獲得モジュールであって、顔画像は、決済者の身元を認証するために使用される、顔画像獲得モジュールと、決済者の資金決済識別情報を取得するように構成される、識別情報獲得モジュールであって、資金決済識別情報は、決済者の決済者アカウントに対応する、識別情報獲得モジュールと、資金決済識別情報に基づいて、決済者アカウントに関する情報および決済者アカウントに対応する参照画像を決定するように構成される、アカウント情報獲得モジュールと、顔画像が参照画像と一致している場合には、決済者アカウントに関する情報に基づいて決済者の資金を移転するように構成される、資金決済モジュールとを含む。
【００２５】
第6の態様に従って、本出願の実施形態は、プロセッサと、コンピュータ実行可能命令を記憶するように構成される、ストレージとを含む、電子デバイスを提供しており、実行可能命令が実行されると、プロセッサは、決済者の顔画像を取得するステップであって、顔画像は、決済者の身元を認証するために使用される、ステップと、決済者の資金決済識別情報を取得するステップであって、資金決済識別情報は、決済者の決済者アカウントに対応する、ステップと、資金決済識別情報に基づいて、決済者アカウントに関する情報および決済者アカウントに対応する参照画像を決定するステップと、顔画像が参照画像と一致している場合には、決済者アカウントに関する情報に基づいて決済者の資金を移転するステップとを含む動作を行うことが可能である。
【００２６】
本出願の実施形態において使用される上記の技術的ソリューションの少なくとも1つが以下の有益な効果を達成し得る。
【００２７】
本出願の実施形態においては、対応する移転元アカウントおよび参照画像をリソース移転元のリソース移転識別情報に基づいて識別し、リソース移転元の顔画像を参照画像と比較してリソース移転元の身元に関する認証を実施する。したがって、顔画像が参照画像と一致している場合には、移転元アカウントに関する情報に基づいてリソースを移転する。
【００２８】
本出願の実施形態において提供した技術的ソリューションに従って、リソース移転元のアカウント情報および参照画像がリソース移転識別情報を使用して識別され、身元認証がリソース移転元に固有の顔画像を使用して行われる。リソース移転元のユーザ名もしくはパスワードなどの認証情報の流用または認証のために使用されるUシールドなどのハードウェアファシリティの紛失に起因する潜在的なリソース移転のセキュリティリスクを軽減することを可能としている。加えて、リソースエクスポート側は、認証のために情報またはファシリティを追加的に記録または搬送することなく、リソースをより便利に素早く移転することができる。
【００２９】
本明細書で記載した添付の図面は、本出願のさらなる理解を提供することを意図しており、本出願の一部分を構成する。本出願の事例示的な実施形態およびその記載は、本出願を説明することを意図しており、本出願に対する限定を構成するものではない。添付の図面は以下の通りである。
【図面の簡単な説明】
【００３０】
【図１】本出願の実施形態による、第1のリソース移転方法を図示している概略フローチャートである。
【図２】本出願の実施形態による、第2のリソース移転方法を図示している概略フローチャートである。
【図３】本出願の実施形態による、第3のリソース移転方法を図示している概略フローチャートである。
【図４】本出願の実施形態による、資金決済方法を図示している概略フローチャートである。
【図５Ａ】本出願の実施形態による、資金決済に適用される資金決済方法を図示している概略インタラクション図である。
【図５Ｂ】本出願の実施形態による、資金決済に適用される資金決済方法を図示している概略インタラクション図である。
【図５Ｃ】本出願の実施形態による、資金決済に適用される資金決済方法を図示している概略インタラクション図である。
【図５Ｄ】本出願の実施形態による、資金決済に適用される資金決済方法を図示している概略インタラクション図である。
【図５Ｅ】本出願の実施形態による、資金決済に適用される資金決済方法を図示している概略インタラクション図である。
【図５Ｆ】本出願の実施形態による、資金決済に適用される資金決済方法を図示している概略インタラクション図である。
【図５Ｇ】本出願の実施形態による、資金決済に適用される資金決済方法を図示している概略インタラクション図である。
【図６】本出願の実施形態による、リソース移転装置を図示している概略構造図である。
【図７】本出願の実施形態による、第1の電子デバイスを図示している概略構造図である。
【図８】本出願の実施形態による、資金決済装置を図示している概略構造図である。
【図９】本出願の実施形態による、第2の電子デバイスを図示している概略構造図である。
【発明を実施するための形態】
【００３１】
本出願の目的、技術的ソリューション、および利点をより明確にするために、本出願の特定の実施形態および対応する添付の図面を参照して、本出願の技術的ソリューションを明確に以下で説明している。説明した実施形態が本出願の実施形態のすべてではなく一部に過ぎないことは明白であろう。すべての創造的努力無しで本出願の実施形態に基づいて当業者によって得られる他の実施形態も本出願の保護範囲に含まれるものとする。
【００３２】
本出願の実施形態において提供した技術的ソリューションを添付の図面を参照して以下に詳細に説明している。
【００３３】
本出願の実施形態は、リソース移転方法を提供している。リソース移転プロセスにおいて、リソース移転元、リソース移転先、およびサーバは、互いにやりとりする。一般的に、リソース移転元およびリソース移転先の両方が、サーバに登録されたユーザである。
【００３４】
図1を参照すれば、本出願の実施形態は、リソース移転方法を提供している。方法は、サーバに適用可能であり、以下のステップを特に含み得る。
【００３５】
S101. リソース移転元の顔画像を取得する、ここで、顔画像は、リソース移転元の身元を認証するために使用される。
【００３６】
S103. リソース移転元のリソース移転識別情報を取得する、ここで、リソース移転識別情報は、リソース移転元の移転元アカウントに対応する。
【００３７】
S105. リソース移転識別情報に基づいて、移転元アカウントに関する情報および移転元アカウントに対応する参照画像を決定する。
【００３８】
S107. 顔画像が参照画像と一致している場合には、移転元アカウントに関する情報に基づいてリソースを移転する。
【００３９】
ある適用シナリオにおいては、リソース移転元がリソースを移転することを望む場合には、リソース移転元は、リソース移転先に配置された顔画像収集デバイスの助けを借りてサーバにリソース移転元の顔画像をアップロードし得る、その結果、サーバは、リソース移転元の顔画像を取得し、その後、リソース移転元の身元を認証し得る。加えて、リソース移転元は、サーバに、移転元アカウントに対応する、識別情報、すなわち、リソース移転識別情報をさらに送信し得る、その結果、サーバは、移転元アカウントに関する情報および移転元アカウントに対応する参照画像を決定する。これを基に、サーバは、リソース移転元によってアップロードされた顔画像を、移転元アカウントに対応しサーバに記憶されている参照画像とマッチングする。顔画像が参照画像と一致している場合には、リソース移転を今回開始するリソース移転元がサーバに記録されている正規のリソース移転元と一致していることをサーバは理解し得る。したがって、サーバは、移転元アカウントに関する情報に基づいてリソース移転元からリソース移転先に今回移転されることになるリソースを移転し得る。
【００４０】
好ましくは、3D撮影装置は、リソース移転元の顔画像を取得するために使用される。さらに、ライブ検出を実施して、サーバが写真、モデルなどを用いた非ライブ画像を取得するのではなく実際のライブ画像を取得していることを保証するべく、被写界深度が深度閾値未満である顔画像を除外するように顔画像深度閾値が設定され得る。そのことは、リソースがライブ攻撃に起因して非正規に送金されることを防ぐのに役立ち、それによって、リソースのセキュリティを保証している。
【００４１】
リソース移転を開始する際に、サーバに記憶している、リソース移転識別情報に対応する、移転元アカウントをサーバが識別し、その後、リソースが移転される場所を決定することができるように、リソース移転元がリソース移転元のリソース移転識別情報を入力し得ることに留意されたい。本目的を達成するために、サーバ内のリソース移転元の移転元アカウントに対応する様々なタイプの識別情報はすべて、サーバの設定要求を満足しているのであれば、リソース移転識別情報の特定のコンテンツとして使用される。さらに、対応関係は、直接的な対応関係または間接的な対応関係であり得るし、一対一の対応関係または一対多の対応関係であり得る。様々なタイプの識別情報は、サーバがリソース移転識別情報に基づいてリソース移転元の移転元アカウントを識別することができるのであれば、別々にまたは組み合わせて使用され得る。
【００４２】
より詳細には、リソース移転識別情報は、携帯電話番号、IDカード番号、もしくはユーザ名などのユーザの個人の身元を表す、情報であり得るし、または、指紋、虹彩、もしくは声紋などといった、顔画像とは異なる別のタイプの固有生体特徴情報であり得るし、または、ユーザ端末に送信される検証コードなどの、サーバによって配信されユーザによって受信される、リソース移転検証情報であり得るし、または、特定の表現、特定の姿勢、もしくは特定のジェスチャなどといった、事前に同意された挙動の特徴であり得る。あるいは、リソース移転識別情報は、発注番号などといった、移転されることになるリソースに対応するトランザクションに関連付けられた識別情報、または、ユーザが発注を生成する際にユーザによって受信される検証コードであり得る。
【００４３】
本出願の本実施形態においては、ユーザが顔画像とリソース移転識別情報とをサーバに入力する順序は限定されなくてもよいことをさらに留意されたい。同様に、サーバがリソース移転元の顔画像とリソース移転識別情報とを取得する順序は、実際の適用シナリオおよび特定のインタラクションプロセスに基づいて決定されてもよく、本出願の本実施形態に特に限定されない。加えて、特定の実施中に、顔画像とリソース移転識別情報とは、直ちに取得され得るし、または、ある検証条件を満足する場合のみ取得され得る。例えば、顔画像がまず取得され得るし、その後、ある条件(単一の条件または複数の条件の組合せであり得る)を満足する場合にリソース移転識別情報が取得され得る。以下では説明のために例を使用している。
【００４４】
(1)図2を参照すれば、サーバは、まず、リソース移転元の顔画像を取得するステップS101を行い、その後、顔画像を解析し顔認識許諾禁止リストを検索するステップS109を行う、ここで、顔認識許諾禁止リストは、顔認識許諾が禁止されている顔画像に関する情報を記録している。決定する際に、ステップS111において、取得した顔画像が顔認識許諾禁止リストに含まれていると決定したことに基づいて、サーバは、顔画像の使用許諾が禁止されていることを理解し得るし、サーバは、リソース移転元が身元認証のために顔画像を使用することを認めない。したがって、ユーザは他の情報をアップロードする必要はなく、サーバは現在のリソース移転が失敗したというメッセージを直ちに返信し得る。決定する際に、ステップS111において、取得した顔画像が顔認識許諾禁止リストに含まれていないと決定したこと基づいて、サーバは、リソース移転元のリソース移転識別情報を取得するステップ103を継続して行う。
【００４５】
顔認識許諾禁止リストに記録されている顔画像情報は短い時間に頻繁に現れる顔画像または認証失敗の数量が所定の閾値に達した顔画像からのものであり得ることに留意されたい。そのような顔画像は使用に際して正常ではないものまたは非正規なものとなる可能性が高いことは理解できよう。したがって、サーバは、顔認識許諾禁止リストにそのような顔画像を記録して、リソースのセキュリティを保証する。
【００４６】
(2)リソース移転元の顔画像を取得する場合には、サーバは、顔画像を収集するデバイスの識別情報をさらに取得し得る。デバイスの識別情報は、デバイスの区分、デバイスの配置位置情報、デバイスの数などを特に含み得る。正規のデバイスの識別情報がサーバに記録されているため、したがって、サーバは、顔画像を収集するデバイスの正当性を検証するために、受信したデバイスの識別情報を正規のデバイスの識別情報と比較し得ることは理解できよう。デバイスが正規のものであることをデバイスの識別情報が示している場合には、サーバは、リソース移転元のリソース移転識別情報をさらに取得する。
【００４７】
あるいは、サーバは、まず、リソース移転識別情報を直ちに取得し、その後、特定の条件ベースの検証が成功した後に、例えば、サーバがリソース移転識別情報に基づいて正規のリソース移転元アカウントに関する情報を識別した後に、認証のためにユーザの顔画像を取得し得ることは理解できよう。特定の実施プロセスは、実際のサービス要求に基づいて決定され得る。
【００４８】
リソース移転元の顔画像を収集するように構成されたデバイスは、通常、リソース移転先に配置された顔画像収集デバイスであることに留意されたい。デバイスの識別情報をサーバにアップロードすることは、顔画像収集デバイスの正当性を決定するのに役立つだけでなく、リソース移転先のトランザクション情報(商品取引においては店舗として特に表され得る)を収集するのにも役立つし、トランザクションリスク評価を容易にするために、リソース移転元がリソース移転を開始した地理的位置に関する情報を収集するのにもさらに役立つ。
【００４９】
リソース移転元の顔画像を収集するデバイスがリソース移転先に対応しているため、デバイスの識別情報を取得した後に、サーバは、顔画像を収集するデバイスを識別し得るし、その後、リソース移転先の設定情報を識別し得る。デバイスが正規のものであることをデバイスの識別情報が示している場合には、必要とされるリソース移転識別情報の情報タイプをデバイスの識別情報に基づいて決定し得るし、その後、リソース移転元のリソース移転識別情報を情報タイプに基づいて取得し得る。
【００５０】
より詳細には、リソース移転先は、デプロイされた顔画像収集デバイスに関連付けられたホットスポットユーザのセットを構築し得るし、さらに、ホットスポットユーザのセット中のユーザおよびユーザに関する情報を継続的に更新し得る。ホットスポットユーザのセットの構築および更新中に、(1)リソース移転先は、ホットスポットユーザのセットに、リソース移転先にメンバ登録のためにユーザによって送信された情報、例えば、リソース移転先によってユーザに送信された、ユーザの顔画像、指紋、または虹彩などの生体特徴情報を記録し得る、または、(2)リソース移転先は、例えば、リソース移転先の顔画像収集デバイスの助けを借りて、ユーザによって行われるインターネットトランザクションの履歴情報に基づいて、顔画像収集デバイスの助けを借りて顔画像をアップロードし、リソース移転先にリソースを移転することに成功したユーザをホットスポットユーザのセットに記録し得る、または、(3)リソース移転先は、顔画像収集デバイス周辺のWi-Fiプローブ技術を使用してモバイル端末に関する情報を収集して、ホットスポットユーザのセットにデバイス周辺で複数回現れるモバイル端末に対応する情報を記録し得る。ケース(3)では、モバイル端末に対応するユーザが、デバイス周辺で頻繁に現れているため、したがって、顔画像収集デバイスの助けを借りてリソースを移転する可能性がより高いことは理解できよう。ホットスポットユーザのセット中のユーザホットスポット情報が、上記の複数の態様におけるコンテンツを含み得るまたはリソース移転元と収集デバイスとの間の別の態様の相関関係を反映し得る情報を含み得ることに留意されたい。ある適用シナリオにおいては、ユーザホットスポット情報は、ホットスポットユーザの顔情報、ホットスポットユーザの他の生体特徴情報、ホットスポットユーザが持っているモバイル端末のMACアドレス、およびサーバにホットスポットユーザによって登録されたアカウントを含む。この場合には、4つの情報の間の対応関係が、リソース移転先についてのものであるとともに収集デバイスに対応するホットスポットユーザのセットにおいて確立される。
【００５１】
ホットスポットユーザのセットに含まれるユーザホットスポット情報の意味と、ユーザホットスポット情報と顔画像収集デバイスとの間の相関関係とを例を使用して上記で説明した。この理解に基づいて、図3を参照すれば、デバイスの識別情報に基づいて必要とされるリソース移転識別情報の情報タイプを決定するステップは、以下のステップを特に含み得る。
【００５２】
S201. デバイスの識別情報に基づいて、デバイスに対応するホットスポットユーザのセットを決定する、ここで、ホットスポットユーザのセットは、デバイスに関連付けられたユーザホットスポット情報を含む。
【００５３】
S203. リソース移転元の顔画像をユーザホットスポット情報とマッチングする。
【００５４】
S205. リソース移転元の顔画像がユーザホットスポット情報と一致しているかどうかを決定する。
【００５５】
S207. リソース移転元の顔画像がユーザホットスポット情報と一致している場合には、必要とされるリソース移転識別情報の情報タイプが第1の情報であると決定する。
【００５６】
S209. リソース移転元の顔画像がユーザホットスポット情報と一致していない場合には、必要とされるリソース移転識別情報の情報タイプが第2の情報であると決定する。
【００５７】
ここで、第2の情報のセキュリティは、第1の情報のセキュリティより高い。
【００５８】
特に、第2の情報は、リソース移転元の個人身元情報、受信したリソース移転検証情報、または移転されることになるリソースに関連付けられた発注情報であり得る。この場合には、第1の情報は、第2の情報の一部であり得る。あるいは、第2の情報は、リソース移転元の生体特徴情報であり得る。この場合には、第1の情報は、リソース移転元の個人身元情報、受信したリソース移転検証情報、または移転されることになるリソースに関連付けられた発注情報であり得る。
【００５９】
より詳細には、サーバによって取得された顔画像をユーザホットスポット情報とマッチングして、リソース移転識別情報の情報タイプを決定するプロセスは、マルチファクタクロス検証アルゴリズムロジックを使用して行われ得る。詳細はここでは省略する。サーバによって取得された顔画像がユーザホットスポット情報と一致している場合には、リソース移転を今回開始するリソース移転元がリソース移転先に配置された顔画像収集デバイスと関連付けられていることは理解できよう。例えば、リソース移転元が以前にリソース移転先にリソースを移転することに成功している、または、リソース移転元は以前にリソース移転先においてメンバとして登録済みである。この場合には、リソース移転元とリソース移転先との間のリソース移転の信頼性が比較的高いとみなすことができるため、したがって、リソース移転元は、認証のためにリソース移転識別情報としてより短い情報(すなわち、第1の情報)を入力することが認められ得る。反対に、リソース移転元は、認証のためにリソース移転識別情報としてより完全な情報(すなわち、第2の情報)を入力することを要求され得る。例えば、リソース移転元の顔画像がユーザホットスポット情報と一致していない場合には、リソース移転元は、認証のためにリソース移転識別情報として11桁の携帯電話番号(第2の情報に相当)を入力する必要がある。リソース移転元の顔画像がユーザホットスポット情報と一致している場合には、リソース移転元が携帯電話番号の下4桁(第1の情報に相当)を入力すれば、認証を開始し得る。別の例では、第2の情報はIDカード番号であり得るし、第1の情報はIDカード番号の指定の桁であり得る。本解決手法においては、ホットスポットユーザのセットに追加されたリソース移転元はリソースをより便利に素早く移転することができる。
【００６０】
上記の実施形態においては、第1の情報は、リソース移転先とのある相関関係を確立し終えたリソース移転元がリソースをより便利に素早く移転するように、第2の情報の一部である。加えて、第1の情報および第2の情報は、第2の情報のセキュリティが第1の情報のセキュリティより高いのであれば、異なるタイプの情報であってもよい。例えば、第1の情報はリソース移転元の携帯電話番号であり得るし、第2の情報はリソース移転元の虹彩であり得る。リソース移転元に固有の生物学的特徴として、虹彩は、携帯電話番号より流用される可能性は低い。したがって、ホットスポットユーザのセットに追加されていないリソース移転元については、サーバは、リソース移転識別情報としてより高いセキュリティの第2の情報を入力することをリソース移転元に要求し得る。そのことはリソース移転のセキュリティを保証するのにより役立つ。
【００６１】
サーバがリソース移転元によって入力される顔画像およびリソース移転識別情報を取得するプロセスとその情報の含意とを例を使用して上記で説明した。リソース移転識別情報を受信した後に、サーバは、リソース移転識別情報に基づいて、移転元アカウントに関する情報および移転元アカウントに対応する参照画像をさらに決定し得るし、そのような決定は、リソース移転識別情報に基づいて、リソース移転識別情報に対応する移転元アカウントに関する情報を決定するステップと、移転元アカウントに関する情報に基づいて、移転元アカウントに対応する参照画像を決定するステップとを特に含み得る。
【００６２】
上述したように、リソース移転識別情報は、リソース移転元の移転元アカウントに対応する。したがって、サーバは、リソース移転識別情報を使用して対応する移転元アカウントに関する情報を識別し得るし、その後、サーバは、移転元アカウントに関する情報に基づいて、サーバにリソース移転元によって保有されている参照画像を識別し得る。ここで、移転元アカウントは、サーバが位置しているインターネットプラットフォーム上でリソース移転元によって登録されたアカウントとして理解され得る、または、インターネットプラットフォーム上でリソース移転元によって保有されプラットフォームの登録アカウントに紐付けられている別のアカウントとして理解され得る。参照画像は、リソース移転元が登録を行うまたは対応するサービスを開始する際に保有のためにサーバにリソース移転元によってアップロードされた顔画像、または証明書に保有されている写真であり得る。例えば、参照画像は、IDカードの写真、またはライブ検証に成功した顔画像であり得る。
【００６３】
保有のためにサーバに記憶されている参照画像は、リソース移転元が顔画像を使用してリソースを移転する実際の適用ケースに基づいて調整されることに留意されたい。例えば、リソース移転元の顔画像は、リソース移転元の再取得された顔画像をマッチングして再びリソース移転を行うために、移転元アカウントに対応する調整された参照画像として記憶され得る。そのため、インターネットプラットフォームは、参照画像としてリソース移転元の「近影」を収集し得る。そのことは、参照画像がリソース移転元の顔画像と一致する度合いを改善し、リソース移転がユーザの個々の顔画像の変化に起因して影響を受けることを防ぐのに役立ち、その結果、ユーザエクスペリエンスはより望ましいものとなる。
【００６４】
いくつかの適用シナリオにおいては、リソース移転識別情報に基づいて、リソース移転識別情報に対応する移転元アカウントに関する情報を決定する場合には、リソース移転識別情報に対応する複数の移転元アカウントに関する情報を識別し得る。この場合には、複数の移転元アカウントに関する情報に対応する一意な決定参照画像を識別することができるならば、その参照画像は移転元アカウントに対応する参照画像として決定される。反対に、複数の移転元アカウントに関する情報が異なる参照画像に対応している場合には、リソース移転元に対応するアカウントをサーバにある複数の移転元アカウントから認識することはできず、サーバがユーザにリソース移転が失敗したという通知を送信し得ることは理解できよう。
【００６５】
例えば、インターネットプラットフォームは、同一のユーザ(ここでは実際に同一のエンティティとして理解され、同一のIDカード番号を使用して登録を行っているユーザとして表され得る)がプラットフォーム上で複数のアカウントを登録することを認め得るし、複数のアカウントは、同一の携帯電話番号に対応していてもよい。したがって、ユーザがリソース移転識別情報として携帯電話番号を入力する場合には、サーバは、携帯電話番号に対応する複数のアカウントを識別する。この場合には、サーバは、複数のアカウントが同一のIDカード番号に対応しているかどうかをさらに決定し、その後、一意な決定した参照画像を識別することができるかどうかを決定し得る。
【００６６】
上記の実施形態に基づいて、取得した顔画像を参照画像とマッチングして、取得した顔画像が参照画像と一致する場合には、リソース移転元のリソースを移転元アカウントに関する情報に基づいて移転する前に、本出願の本実施形態において提供した方法は、移転元アカウントに関する情報が所定の条件を満足する場合には、顔画像を参照画像とマッチングするステップをさらに含み得る。
【００６７】
特に、所定の条件は、移転元アカウントのタイプが顔画像認識のための許諾を有するアカウントタイプであることと、移転元アカウントが非正規アカウントリストに含まれていないことと、移転元アカウントのリソース移転失敗の数量が所定の値に達していないことと、移転元アカウントの地理的位置状態が正常状態であることとのうちの少なくとも1つを含み得る。
【００６８】
本出願の本実施形態においては、所定の条件は、インターネットプラットフォーム上でリソース移転のためのリスク制御ルールを反映するために使用される。取得した顔画像を認証する前に、リスク制御ルールに従っていない移転元アカウントを直ちに排除するべく、移転元アカウントに関連している情報を検証しており、それによって、リソース移転のセキュリティを保証している。例えば、移転元アカウントのタイプが顔画像認識許諾を有しているアカウントタイプであるかどうかを決定する。決定の結果が「yes」の場合には、移転元アカウントはリソースを移転する認証のために顔画像を使用することが認められていることを示す。したがって、顔画像を参照画像とさらに比較し得る。決定の結果が「no」の場合には、移転元アカウントは認証のために顔画像を使用することが認められていないことを示す。したがって、サーバは、ユーザに、現在のリソース移転が失敗したという通知をフィードバックし得る。別の例では、サーバは、リソース移転元が顔画像を報告した地理的位置に関する情報を把握するために顔画像収集デバイスのデバイス情報を収集し、その後、リソース移転元に対応する移転元アカウントの地理的位置状態が正常であるかどうかを決定し得る。地理的位置状態が正常である場合には、サーバは、顔画像をリソース移転のための参照画像と比較することを継続し得る。地理的位置状態が正常ではない場合には、リソース移転元の移転元アカウントが非正規に使用されている可能性があることを示す。したがって、サーバは、ユーザに、現在のリソース移転が失敗したという通知をフィードバックし得る。より詳細には、移転元アカウントの地理的位置状態は、リソース移転元が複数回顔画像をアップロードした時間および場所に基づいて、または、サーバにリソース移転元によって保有されている設定情報(例えば、利用範囲)に基づいて、決定され得る。当然のことながら、所定の条件が複数の条件を含む場合には、複数の条件をすべて満足した場合のみ、所定の条件を満足したとみなすことができることを理解されたい。
【００６９】
本出願の実施形態を異なる視点から上記で説明した。ある適用シナリオにおいては、リソースは特に資金であり、リソース移転元は特に決済者であり、リソース移転識別情報は特に資金決済識別情報であり、移転元アカウントは特に決済者アカウントである。以下では本シナリオにおける資金決済方法の特定の実施形態を説明するために例を使用している。図4を参照すれば、方法は、以下のステップを含む。
【００７０】
S301. 決済者の顔画像を取得する、ここで、顔画像は、決済者の身元を認証するために使用される。
【００７１】
S303. 決済者の資金決済識別情報を取得する、ここで、資金決済識別情報は、決済者の決済者アカウントに対応する。
【００７２】
S305. 資金決済識別情報に基づいて、決済者アカウントに関する情報および決済者アカウントに対応する参照画像を決定する。
【００７３】
S307. 顔画像が参照画像と一致している場合には、決済者アカウントに関する情報に基づいて決済者の資金を移転する。
【００７４】
図5A〜Gは、本出願の実施形態による、資金決済に適用される資金決済方法を図示している概略インタラクション図である。
【００７５】
商品を選択した後に、ユーザ(ここでは、特に決済者である)は、オフラインセルフサービス決済を店舗のセルフサービス端末上で行うことを選択し得る。端末は、顔画像収集機能を有し、本出願の本実施形態における顔画像収集デバイスとしての機能を果たし得る。好ましくは、デバイスは、3D画像収集機能を有する。セルフサービス決済中に、ユーザは、決済のためにキャッシュカードまたは銀行カードを使用することを選択し得るし、または決済のためにALIPAYに類似した第三者の決済プラットフォームを使用することを選択し得る。第三者の決済プラットフォームに入った後に、ユーザは、2次元コードスキャン決済、音波決済、決済コード決済などをさらに選択し得る。特に、ユーザは、顔スキャン決済を行うことをさらに選択し得る。
【００７６】
セルフサービス端末を使用してユーザの顔をスキャンした後に、セルフサービス端末は、ユーザの取得した顔画像をサーバ(ここでは、第三者の決済プラットフォームのサーバである)に送信する。セルフサービス端末は、セルフサービス端末のデバイス情報をサーバにさらにアップロードする、ここで、デバイス情報は、区分、デバイス識別、マシンIDなどを含む。
【００７７】
セルフサービス端末によってアップロードされた顔画像を受信した後に、サーバは、FaceIDが凍結されているかどうかをまず決定する、すなわち、顔画像と一致している顔画像情報を顔認識許諾禁止リストから検索する、ここで、顔認識許諾禁止リストは、顔画像認識許諾が禁止されている顔画像に関する情報を記憶するために使用される。FaceIDが凍結されている場合には、サーバは、エラープロンプト:アカウントが正常ではないため決済が失敗しました、を返信し得る。FaceIDが凍結されていない場合、すなわち、顔画像と一致している顔画像情報が顔認識許諾禁止リストに存在していない場合には、サーバは、必要とされる資金決済識別情報の情報タイプを決定するべく、決定処理の次の段階を行う。
【００７８】
特に、セルフサービス端末に対応する店舗が1:Nのホットスポット顧客セットNを有効にしていない(すなわち、顔画像収集デバイスに対応するホットスポットユーザのセットが存在しない)場合には、資金決済識別情報の情報タイプは第2の情報として直ちに決定され、ユーザは第2の情報を入力するようにプロンプト通知される。セルフサービス端末に対応する店舗が1:Nのホットスポット顧客セットNを有効にしている場合には、デバイスに対応するホットスポットユーザのセットをデバイスの識別情報に基づいて決定する、ここで、ホットスポットユーザのセットは、デバイスに関連付けられたユーザホットスポット情報を含む。その後、決済者の顔画像は、ユーザホットスポット情報とマッチングされる。決済者の顔画像がユーザホットスポット情報と一致している場合には、必要とされる資金決済識別情報が第1の情報であると決定され、さもなければ、必要とされる資金決済識別情報が第2の情報であると決定される、ここで、第2の情報のセキュリティは第1の情報のセキュリティより高い。
【００７９】
随意的な実施形態においては、第2の情報は、決済者の個人身元情報、受信した資金決済検証情報、または移転されることになる資金に関連付けられた発注情報であり得るし、第1の情報は、第2の情報の一部であり得る。あるいは、第2の情報は、決済者の生体特徴情報であり得るし、第1の情報は、決済者の個人身元情報、受信した資金決済検証情報、または移転されることになる資金に関連付けられた発注情報であり得る。例えば、図5A〜Gに示しているように、第1の情報は、ユーザの携帯電話番号の下4桁であり、第2の情報は、ユーザの11桁の携帯電話番号である。
【００８０】
ホットスポット顧客セットNを使用して資金決済識別情報の情報タイプを決定するプロセスは、特に、店舗の実効ユーザのUIDリストを照会して、すなわち、店舗で公開されているユーザ顔画像データベース、近隣のWi-FiプローブがマッピングされているユーザUID、および店舗で公開されているユーザ虹彩などの生体特徴情報を照会して、マルチファクタクロス検証アルゴリズムを使用して、1:Nが一意にヒットし得るかどうか決定することであり得る。1:Nが一意にヒットし得る場合には、ユーザは、より低いセキュリティの第1の情報を入力することが認められ、さもなければ、ユーザは、より高いセキュリティの第2の情報を入力することが必要になる。
【００８１】
さらに、サーバは、ユーザによって入力された携帯電話番号などの資金決済識別情報を使用してユーザの決済プラットフォームUIDを識別する。入力された携帯電話番号が決済プラットフォームUIDと一致し得る場合には、後続の検証を行い得る、さもなければ、携帯電話番号に対応する決済プラットフォームアカウントが存在していないことを示して、決済失敗メッセージを返信する。さらに、決済プラットフォームUIDが複数のCIDにマッピングされている場合には、1:Nの比較は、顔画像をCIDに対応する保有画像と比較するために使用される。一意なCIDがヒットし得る場合には、後続のリスク制御検証を継続し、さもなければ、決済失敗メッセージをフィードバックする。
【００８２】
リスク制御検証中に、顔決済機能または許諾が決済プラットフォームUIDに対して解禁されているかどうかを決定し得るし、機能または許諾が利用可能であるかどうかを決定し得る。例えば、決済プラットフォームの機能設定に基づいて、企業ユーザ、非実名ユーザ、または非本土ユーザが決済のために顔認識機能を使用することを禁じられ得ると仮定すると、ユーザのアカウントタイプが顔画像認識許諾を有していないそのようなアカウントである場合には、ユーザは顔スキャン決済を行うことができない。別の例では、サーバはブラックリストを設定し得る。ユーザの決済プラットフォームUIDがブラックリストに記録されている場合には、ユーザのアカウントが顔スキャン決済を行うことを禁じられていることを示し、別の決済方法を選択するようにユーザにプロンプト通知するためにエラープロンプトをフィードバックし得る。サーバは、決済者アカウントの資金決済失敗の数量が所定の値に達したかどうか、決済者アカウントの地理的位置状態が正常状態であるかどうかなどをさらに検証し得る。
【００８３】
リスク制御検証が成功すると、1:1のマルチフレーム比較が取得した顔画像と保有参照画像との間で行われ得る。比較が失敗した場合には、決済失敗メッセージを返信し得る。比較が成功した場合には、決済プラットフォームUIDが複数の引き落としアカウントに対応しているかどうかをさらにチェックし得るし、ユーザは、資金決済の完遂を成功することができるように、実際の引き落としアカウントを選択し得る。
【００８４】
一連の検証を通じて、ユーザが顔スキャン決済をセルフサービス端末上で行うことができることを確認した後に、ユーザのIDと店舗のIDとの間の対応関係が確立され、ユーザが店舗内で顔認識機能を開始するものとみなされ得るし、その後、セルフサービス端末に対応するホットスポットユーザのセットを更新し得る、その結果、ユーザが顔スキャン決済を次回端末上で行う際にはより低いセキュリティのより簡潔な第1の情報を入力するだけで十分となることに留意されたい。
【００８５】
上記の実施形態においては、対応する決済者アカウントおよび参照画像を決済者の資金決済識別情報に基づいて識別し、決済者の顔画像を参照画像と比較して決済者の身元に関する認証を実施する、その結果、顔画像が参照画像と一致している場合には、決済者アカウントに関する情報に基づいて資金が決済される。本出願の本実施形態において提供した技術的ソリューションに従って、決済者のアカウント情報および参照画像が資金決済識別情報を使用して識別され、身元認証が決済者に固有の顔画像を使用して行われる。決済者のユーザ名もしくはパスワードなどの認証情報の流用または認証のために使用されるUシールドなどのハードウェアファシリティの紛失に起因する潜在的な資金決済のセキュリティリスクを軽減することを可能としている。加えて、決済者は、認証のために情報またはファシリティを追加的に記録または搬送することなく、資金をより便利に素早く決済することができる。
【００８６】
本出願の実施形態は、リソース移転装置をさらに提供している。図6を参照すれば、装置は、リソース移転元の顔画像を取得するように構成される、顔画像獲得モジュール301であって、顔画像は、リソース移転元の身元を認証するために使用される、顔画像獲得モジュール301と、リソース移転元のリソース移転識別情報を取得するように構成される、識別情報獲得モジュール303であって、リソース移転識別情報は、リソース移転元の移転元アカウントに対応する、識別情報獲得モジュール303と、リソース移転識別情報に基づいて、移転元アカウントに関する情報および移転元アカウントに対応する参照画像を決定するように構成される、アカウント情報獲得モジュール305と、顔画像が参照画像と一致している場合には、移転元アカウントに関する情報に基づいてリソース移転元のリソースを移転するように構成される、リソース移転モジュール307とを含む。
【００８７】
リソース移転装置は、図1に示した実施形態における方法をさらに行い得る。特定の実施形態については、図1に示した実施形態を参照されたい。詳細は省略する。
【００８８】
図7は、本出願の実施形態による、電子デバイスを図示している概略構造図である。図7を参照すれば、ハードウェアに関しては、電子デバイスは、プロセッサを含み、必要に応じて、内部バス、ネットワークインターフェース、およびストレージをさらに含む。ストレージは、例えば、高速ランダムアクセスメモリ(RAM)といった、メモリを含み得るし、例えば、少なくとも1つの磁気ディスクメモリといった、不揮発性メモリ(NVM)をさらに含み得る。当然のことながら、電子デバイスは、別のサービスによって必要とされるハードウェアをさらに含み得る。
【００８９】
プロセッサ、ネットワークインターフェース、およびストレージは、内部バスを使用して互いに接続され得る。内部バスは、業界標準アーキテクチャ(ISA)バス、ペリフェラルコンポーネントインターコネクト(PCI)バス、拡張業界標準アーキテクチャ(EISA)バスなどであり得る。バスは、アドレスバス、データバス、制御バスなどとして分類され得る。表示を簡潔にするために、図7では1つの両矢印のみを使用してバスを示している。しかしながら、1つのバスのみが存在しているまたは1種類のバスのみが存在していることを意味しているわけではない。
【００９０】
ストレージは、プログラムを記憶するように構成される。特に、プログラムは、プログラムコードを含み得るし、プログラムコードは、コンピュータ動作命令を含む。ストレージは、メモリおよび不揮発性メモリを含み、プロセッサのための命令およびデータを提供し得る。
【００９１】
プロセッサは実行するために不揮発性メモリからメモリへと対応するコンピュータプログラムを読み出して、リソース移転装置を論理的に形成する。プロセッサは、ストレージに記憶されているプログラムを実行し、リソース移転元の顔画像を取得するステップであって、顔画像は、リソース移転元の身元を認証するために使用される、ステップと、リソース移転元のリソース移転識別情報を取得するステップであって、リソース移転識別情報は、リソース移転元の移転元アカウントに対応する、ステップと、リソース移転識別情報に基づいて、移転元アカウントに関する情報および移転元アカウントに対応する参照画像を決定するステップと、顔画像が参照画像と一致している場合には、移転元アカウントに関する情報に基づいてリソース移転元のリソースを移転するステップといった動作を行うように特に構成される。
【００９２】
本出願の図1に示した実施形態において開示した、リソース移転装置によって行われる、上記の方法は、プロセッサに適用され得る、または、プロセッサによって実施され得る。プロセッサは、集積回路チップであり、信号処理能力を有し得る。実施プロセスにおいては、上記の方法におけるステップは、プロセッサ内のハードウェア集積論理回路を使用して、または、ソフトウェアの形式で命令を使用して、実施され得る。プロセッサは、中央処理ユニット(CPU)、ネットワークプロセッサ(NP)などを含む、汎用プロセッサであり得る。あるいは、プロセッサは、デジタル信号プロセッサ(DSP)、特定用途向け集積回路(ASIC)、フィールドプログラマブルゲートアレイ(FPGA)、別のプログラマブルロジックデバイス、ディスクリートゲート、トランジスタロジックデバイス、またはディスクリートハードウェアコンポーネントであり得る。プロセッサは、本出願の実施形態において開示した方法、ステップ、および論理ブロック図を実施または行い得る。汎用プロセッサは、マイクロプロセッサであり得る、または、プロセッサは、任意の従来のプロセッサなどであり得る。本出願の実施形態において開示した方法のステップは、ハードウェアデコーディングプロセッサによって直接行われ得る、または、デコーディングプロセッサにおけるハードウェアとソフトウェアモジュールとの組合せによって行われ得る。ソフトウェアモジュールは、例えば、ランダムアクセスメモリ、フラッシュメモリ、リードオンリーメモリ、プログラマブルリードオンリーメモリ、電気的消去可能プログラマブルメモリ、またはレジスタといった分野における実績のある記憶媒体に位置し得る。記憶媒体は、ストレージに位置し、プロセッサは、ストレージ内の情報を読み出し、プロセッサ内のハードウェアと共同して上記の方法におけるステップを完遂する。
【００９３】
電子デバイスは、リソース移転装置によって行われる図1中の方法をさらに行い、図1に示した実施形態におけるリソース移転装置の機能を実施し得る。詳細は本出願の本実施形態では省略する。
【００９４】
本出願の実施形態は、コンピュータ可読記憶媒体をさらに提供している。コンピュータ可読記憶媒体は1つまたは複数のプログラムを記憶し、1つまたは複数のプログラムは命令を含む。複数のアプリケーションプログラムを含む電子デバイスによって命令が実行されると、電子デバイスは、図1に示した実施形態におけるリソース移転装置によって行われる方法を行うことが可能であり、特に、リソース移転元の顔画像を取得するステップであって、顔画像は、リソース移転元の身元を認証するために使用される、ステップと、リソース移転元のリソース移転識別情報を取得するステップであって、リソース移転識別情報は、リソース移転元の移転元アカウントに対応する、ステップと、リソース移転識別情報に基づいて、移転元アカウントに関する情報および移転元アカウントに対応する参照画像を決定するステップと、顔画像が参照画像と一致している場合には、移転元アカウントに関する情報に基づいてリソース移転元のリソースを移転するステップとを含む動作を行うように構成される。
【００９５】
資金決済適用シナリオについては、本出願の実施形態は、資金決済装置をさらに提供している。図8を参照すれば、装置は、決済者の顔画像を取得するように構成される、顔画像獲得モジュール401であって、顔画像は、決済者の身元を認証するために使用される、顔画像獲得モジュール401と、決済者の資金決済識別情報を取得するように構成される、識別情報獲得モジュール403であって、資金決済識別情報は、決済者の決済者アカウントに対応する、識別情報獲得モジュール403と、資金決済識別情報に基づいて、決済者アカウントに関する情報および決済者アカウントに対応する参照画像を決定するように構成される、アカウント情報獲得モジュール405と、顔画像が参照画像と一致している場合には、決済者アカウントに関する情報に基づいて決済者の資金を移転するように構成される、資金決済モジュール407とを含む。
【００９６】
資金決済装置は、図4に示した実施形態における方法をさらに行い得る。特定の実施形態については、図4に示した実施形態を参照されたい。詳細は省略する。
【００９７】
図9は、本出願の実施形態による、電子デバイスを図示している概略構造図である。図9を参照すれば、ハードウェアに関しては、電子デバイスは、プロセッサを含み、必要に応じて、内部バス、ネットワークインターフェース、およびストレージをさらに含む。ストレージは、例えば、高速ランダムアクセスメモリ(RAM)といった、メモリを含み得るし、例えば、少なくとも1つの磁気ディスクメモリといった、不揮発性メモリ(NVM)をさらに含み得る。当然のことながら、電子デバイスは、別のサービスによって必要とされるハードウェアをさらに含み得る。
【００９８】
プロセッサ、ネットワークインターフェース、およびストレージは、内部バスを使用して互いに接続され得る。内部バスは、業界標準アーキテクチャ(ISA)バス、ペリフェラルコンポーネントインターコネクト(PCI)バス、拡張業界標準アーキテクチャ(EISA)バスなどであり得る。バスは、アドレスバス、データバス、制御バスなどとして分類され得る。表示を簡潔にするために、図9では1つの両矢印のみを使用してバスを示している。しかしながら、1つのバスのみが存在しているまたは1種類のバスのみが存在していることを意味しているわけではない。
【００９９】
ストレージは、プログラムを記憶するように構成される。特に、プログラムは、プログラムコードを含み得るし、プログラムコードは、コンピュータ動作命令を含む。ストレージは、メモリおよび不揮発性メモリを含み、プロセッサのための命令およびデータを提供し得る。
【０１００】
プロセッサは実行するために不揮発性メモリからメモリへと対応するコンピュータプログラムを読み出して、資金決済装置を論理的に形成する。プロセッサは、ストレージに記憶されているプログラムを実行し、決済者の顔画像を取得するステップであって、顔画像は、決済者の身元を認証するために使用される、ステップと、決済者の資金決済識別情報を取得するステップであって、資金決済識別情報は、決済者の決済者アカウントに対応する、ステップと、資金決済識別情報に基づいて、決済者アカウントに関する情報および決済者アカウントに対応する参照画像を決定するステップと、顔画像が参照画像と一致している場合には、決済者アカウントに関する情報に基づいて決済者の資金を移転するステップといった動作を行うように特に構成される。
【０１０１】
本出願の図4に示した実施形態において開示した、資金決済装置によって行われる、上記の方法は、プロセッサに適用され得る、または、プロセッサによって実施され得る。プロセッサは、集積回路チップであり、信号処理能力を有し得る。実施プロセスにおいては、上記の方法におけるステップは、プロセッサ内のハードウェア集積論理回路を使用して、または、ソフトウェアの形式で命令を使用して、実施され得る。プロセッサは、中央処理ユニット(CPU)、ネットワークプロセッサ(NP)などを含む、汎用プロセッサであり得る。あるいは、プロセッサは、デジタル信号プロセッサ(DSP)、特定用途向け集積回路(ASIC)、フィールドプログラマブルゲートアレイ(FPGA)、別のプログラマブルロジックデバイス、ディスクリートゲート、トランジスタロジックデバイス、またはディスクリートハードウェアコンポーネントであり得る。プロセッサは、本出願の実施形態において開示した方法、ステップ、および論理ブロック図を実施または行い得る。汎用プロセッサは、マイクロプロセッサであり得る、または、プロセッサは、任意の従来のプロセッサなどであり得る。本出願の実施形態において開示した方法のステップは、ハードウェアデコーディングプロセッサによって直接行われ得る、または、デコーディングプロセッサにおけるハードウェアとソフトウェアモジュールとの組合せによって行われ得る。ソフトウェアモジュールは、例えば、ランダムアクセスメモリ、フラッシュメモリ、リードオンリーメモリ、プログラマブルリードオンリーメモリ、電気的消去可能プログラマブルメモリ、またはレジスタといった分野における実績のある記憶媒体に位置し得る。記憶媒体は、ストレージに位置し、プロセッサは、ストレージ内の情報を読み出し、プロセッサ内のハードウェアと共同して上記の方法におけるステップを完遂する。
【０１０２】
電子デバイスは、資金決済装置によって行われる図4中の方法をさらに行い、図4に示した実施形態における資金決済装置の機能を実施し得る。詳細は本出願の本実施形態では省略する。
【０１０３】
本出願の実施形態は、コンピュータ可読記憶媒体をさらに提供している。コンピュータ可読記憶媒体は1つまたは複数のプログラムを記憶し、1つまたは複数のプログラムは命令を含む。複数のアプリケーションプログラムを含む電子デバイスによって命令が実行されると、電子デバイスは、図4に示した実施形態における資金決済装置によって行われる方法を行うことが可能であり、特に、決済者の顔画像を取得するステップであって、顔画像は、決済者の身元を認証するために使用される、ステップと、決済者の資金決済識別情報を取得するステップであって、資金決済識別情報は、決済者の決済者アカウントに対応する、ステップと、資金決済識別情報に基づいて、決済者アカウントに関する情報および決済者アカウントに対応する参照画像を決定するステップと、顔画像が参照画像と一致している場合には、決済者アカウントに関する情報に基づいて決済者の資金を移転するステップとを含む動作を行うように構成される。
【０１０４】
本出願の実施形態において提供した方法のステップのすべてを同一のデバイスによって行うことができることまたは異なるデバイスによって行うことができることに留意されたい。このことは本出願に限定されない。
【０１０５】
本開示の実施形態が方法、システム、またはコンピュータプログラム製品として提供され得ることを当業者は理解されたい。したがって、本開示は、ハードウェアのみの実施形態、ソフトウェアのみの実施形態、またはソフトウェアとハードウェアとの組合せを用いた実施形態の形式を使用し得る。加えて、本開示は、コンピュータ使用可能プログラムコードを含む1つまたは複数のコンピュータ使用可能記憶媒体(磁気ディスクメモリ、CD-ROM、光学メモリなどを含むがこれらに限定されない)上で実施されるコンピュータプログラム製品の形式を使用し得る。
【０１０６】
本開示は、本開示の実施形態による、方法、デバイス(システム)、およびコンピュータプログラム製品のフローチャートおよび/またはブロック図を参照して説明している。コンピュータプログラム命令がフローチャートおよび/またはブロック図中の各プロセスおよび/または各ブロックならびにフローチャートおよび/またはブロック図中のプロセスおよび/またはブロックの組合せを実施するために使用され得ることに留意されたい。これらのコンピュータプログラム命令は、コンピュータまたは他のプログラマブルデータ処理デバイスのプロセッサによって実行される命令がフローチャート中の1つまたは複数のプロセスにおけるおよび/またはブロック図中の1つまたは複数のブロックにおける特定の機能を実施するための装置を生成するように、汎用コンピュータ、専用コンピュータ、組み込みプロセッサ、または他のプログラマブルデータ処理デバイスのプロセッサに提供され、機構を生成し得る。
【０１０７】
このようなコンピュータプログラム命令は、コンピュータ可読メモリに記憶されている命令が命令装置を含むアーチファクトを生成するように、コンピュータまたは他のプログラマブルデータ処理デバイスに特定の方法で動作するように命令し得るコンピュータ可読メモリに記憶され得る。命令装置は、フローチャート中の1つまたは複数のプロセスにおけるおよび/またはブロック図中の1つまたは複数のブロックにおける特定の機能を実施する。
【０１０８】
このようなコンピュータプログラム命令は、コンピュータまたは他のプログラマブルデータ処理デバイスにロードされ得るし、その結果、一連の動作およびステップがコンピュータまたは他のプログラマブルデバイス上で行われ、それによって、コンピュータ実施処理を生成している。したがって、コンピュータまたは他のプログラマブルデバイス上で実行される命令は、フローチャート中の1つまたは複数のプロセスにおけるおよび/またはブロック図中の1つまたは複数のブロックにおける特定の機能を実施するためのステップを提供する。
【０１０９】
典型的な設定においては、コンピューティングデバイスは、1つまたは複数のプロセッサ(CPU)、入力/出力インターフェース、ネットワークインターフェース、およびメモリを含む。
【０１１０】
メモリは、例えば、リードオンリーメモリ(ROM)またはフラッシュメモリ(フラッシュRAM)といった、コンピュータ可読媒体中の非永続メモリ、ランダムアクセスメモリ(RAM)、不揮発性メモリ、および/または別の形式のメモリを含み得る。メモリは、コンピュータ可読媒体の例である。
【０１１１】
コンピュータ可読媒体は、任意の方法または技術を使用して情報を記憶することができる、持続性、非持続性、リムーバブル、および非リムーバブルメディアを含む。情報は、コンピュータ可読命令、データ構造、プログラムモジュール、または他のデータであり得る。コンピュータ記憶媒体の例としては、相変化メモリ(PRAM)、スタティックランダムアクセスメモリ(SRAM)、ダイナミックランダムアクセスメモリ(DRAM)、もしくは別のタイプのランダムアクセスメモリ(RAM)と、リードオンリーメモリ(ROM)、電気的消去可能プログラマブルリードオンリーメモリ(EEPROM)、フラッシュメモリ、もしくは別のメモリ技術と、コンパクトディスクリードオンリーメモリ(CD-ROM)、デジタル多用途ディスク(DVD)、もしくは別の光学ストレージと、カセット磁気テープ、磁気テープ/磁気ディスクストレージ、別の磁気記憶デバイスと、または任意の他の非伝送メディアとを含むがこれらに限定されない。コンピュータ記憶媒体は、情報アクセス可能をコンピューティングデバイスに記憶するために使用され得る。本明細書の定義に基づけば、コンピュータ可読媒体は、変調データ信号およびキャリアなどのコンピュータ可読一時的媒体(一時的媒体)を含まない。
【０１１２】
「含む」、「備える」といった用語、またはそれらの任意の他の類型は、多くの要素を含むプロセス、方法、商品、もしくはデバイスが、これらの要素を含むだけでなく明示的に記載していない他の要素も含むように、またはそのようなプロセス、方法、商品、もしくはデバイスに本来備わっている要素をさらに含むように、非排他的な包含をカバーすることを意図していることをさらに留意されたい。「・・・を含む」と記載している要素は、さらなる制約がない状態で、要素を含むプロセス、方法、商品、またはデバイスにおいて別追加の同一要素を除外することはしない。
【０１１３】
本出願の実施形態が方法、システム、またはコンピュータプログラム製品として提供され得ることを当業者は理解されたい。したがって、本開示は、ハードウェアのみの実施形態、ソフトウェアのみの実施形態、またはソフトウェアとハードウェアとの組合せを用いた実施形態の形式を使用し得る。加えて、本出願は、コンピュータ使用可能プログラムコードを含む1つまたは複数のコンピュータ使用可能記憶媒体(磁気ディスクメモリ、CD-ROM、光学メモリなどを含むがこれらに限定されない)上で実施されるコンピュータプログラム製品の形式を使用し得る。
【０１１４】
上記の説明は、本出願の実施形態に過ぎず、本出願を限定することは意図していない。当業者は、本出願に対して様々な修正および変更をなし得る。本出願の精神および原理から逸脱することなくなされた任意の修正、均等物との置換、改善などは、本出願における特許請求の範囲の範囲に含まれるものとする。
【符号の説明】
【０１１５】
301  顔画像獲得モジュール
303  識別情報獲得モジュール
305  アカウント情報獲得モジュール
307  リソース移転モジュール
401  顔画像獲得モジュール
403  識別情報獲得モジュール
405  アカウント情報獲得モジュール
407  資金決済モジュール
【図１】
0006899922.tif 000002
【図２】
0006899922.tif 000003
【図３】
0006899922.tif 000004
【図４】
0006899922.tif 000005
【図５Ａ】
0006899922.tif 000006
【図５Ｂ】
0006899922.tif 000007
【図５Ｃ】
0006899922.tif 000008
【図５Ｄ】
0006899922.tif 000009
【図５Ｅ】
0006899922.tif 000010
【図５Ｆ】
0006899922.tif 000011
【図５Ｇ】
0006899922.tif 000012
【図６】
0006899922.tif 000013
【図７】
0006899922.tif 000014
【図８】
0006899922.tif 000015
【図９】
0006899922.tif 000016